(57)【特許請求の範囲】
【請求項１】
挿入口を開口し内部に袋状の包摂空間を有した伸縮性の無い基布と当該基布の外周に払拭片を植成してなる払拭体と、密閉された袋体に空気を注入排気する空気バルブを前記袋体に取着し、前記空気バルブを介して前記袋体に空気を注入すると膨張して内部空間を形成し空気を排気すると萎む性質を有したヘッドを有し、前記ヘッドを前記払拭体に装着する際に、前記袋体を前記挿入口から前記包摂空間に内装し、前記空気バルブを前記挿入口に配置して、前記空気バルブから空気を前記袋体の内部空間に注入すると前記袋体は略緊張状態になるまで膨張し、前記基布が清掃可能形状を保持し、
前記空気バルブの近傍で前記袋体の外周に袋体側係止手段を取着させ、当該袋体側係止手段を前記挿入口から露出させ、操作用のハンドルの下端部にハンドル側係止手段を取着し、前記ハンドル側係止手段を前記袋体側係止手段に対し着脱自在に連結させて前記ハンドルを組み込んだことを特徴とする空気袋型清掃用具。
【請求項２】
前記包摂空間が筒状包摂空間であり、前記袋体が筒状袋体であり、当該筒状袋体が前記筒状包摂空間に内装される請求項１に記載の空気袋型清掃用具。
【請求項３】
前記包摂空間が板状包摂空間であり、前記袋体が板状袋体であり、当該板状袋体が前記板状包摂空間に内装される請求項１に記載の空気袋型清掃用具。
【請求項４】
前記ハンドルの前記下端部にプレートを取着し、当該プレートに前記ハンドル側係止手段を取着した請求項１〜３のいずれかに記載の空気袋型清掃用具。
【請求項５】
前記挿入口が前記基布の中間部に開口され、前記基布が前記挿入口の左右に左側包摂空間を有する左側基布と右側包摂空間を有する右側基布から構成され、前記空気バルブが前記袋体の中間部に取着され、前記袋体が前記空気バルブの左右に左側内部空間を有する左側袋体と右側内部空間を有する右側袋体から構成され、前記左側袋体が前記左側包摂空間に内装され、前記右側袋体が前記右側包摂空間に内装される請求項１〜４のいずれかに記載の空気袋型清掃用具。
【請求項６】
前記ハンドルの前記下端部に前記左右の方向へ突出する押え体を設け、当該押え体により前記払拭体を外側から押さえて前記袋体の反り返りを抑止する請求項５に記載の空気袋型清掃用具。
【請求項７】
挿入口を開口し内部に袋状の包摂空間を有した伸縮性の無い基布と当該基布の外周に払拭片を植成してなる払拭体と、密閉された袋体に空気を注入排気する空気バルブを前記袋体に取着し、前記空気バルブを介して前記袋体に空気を注入すると膨張して内部空間を形成し空気を排気すると萎む性質を有したヘッドを有し、前記ヘッドを前記払拭体に装着する際に、前記袋体を前記挿入口から前記包摂空間に内装し、前記空気バルブを前記挿入口に配置して、前記空気バルブから空気を前記袋体の内部空間に注入すると前記袋体は略緊張状態になるまで膨張し、前記基布が清掃可能形状を保持し、
前記挿入口が前記基布の端部に開口され、
前記包摂空間が有底筒状空間になるように前記基布が構成されてその開口端を前記挿入口とし、前記袋体は両端面が閉鎖された柱状袋体に形成され、当該柱状袋体の一端面には環状面を残して有底筒状穴部が形成され、前記環状面に前記空気バルブが取着されることを特徴とする空気袋型清掃用具。
【請求項８】
前記有底筒状穴部に袋体側係止手段が取着され、操作用のハンドルの下端部にハンドル側係止手段が取着され、前記ハンドルの前記下端部を前記有底筒状穴部に挿入して、前記ハンドル側係止手段を前記袋体側係止手段に対し着脱自在に連結させて前記ハンドルを組み込む請求項７に記載の空気袋型清掃用具。
【請求項９】
前記空気バルブと前記ハンドルの下端部とをチューブで連結し、前記ハンドルを操作することにより前記ハンドルから空気が前記袋体に注入される請求項１〜６及び８のいずれかに記載の空気袋型清掃用具。
【請求項１０】
前記ハンドルは前記チューブと連結される内ハンドルとし、当該内ハンドルに外ハンドルを外嵌し、当該外ハンドルを前記内ハンドルに対し軸方向に往復動させることにより空気を前記袋体に注入できる請求項９に記載の空気袋型清掃用具。
【請求項１１】
挿入口を開口し内部に袋状の包摂空間を有した伸縮性の無い基布と当該基布の外周に払拭片を植成してなる払拭体と、密閉された袋体に空気を注入排気する空気バルブを前記袋体に取着し、前記空気バルブを介して前記袋体に空気を注入すると膨張して内部空間を形成し空気を排気すると萎む性質を有したヘッドを有し、前記ヘッドを前記払拭体に装着する際に、前記袋体を前記挿入口から前記包摂空間に内装し、前記空気バルブを前記挿入口に配置して、前記空気バルブから空気を前記袋体の内部空間に注入すると前記袋体は略緊張状態になるまで膨張し、前記基布が清掃可能形状を保持し、
前記挿入口が前記基布の中間部に開口され、前記基布が前記挿入口の左右に左側包摂空間を有する左側基布と右側包摂空間を有する右側基布から構成され、前記空気バルブが前記袋体の中間部に取着され、前記袋体が前記空気バルブの左右に左側内部空間を有する左側袋体と右側内部空間を有する右側袋体から構成され、前記左側袋体が前記左側包摂空間に内装され、前記右側袋体が前記右側包摂空間に内装されることを特徴とする空気袋型清掃用具。
【発明の詳細な説明】
【技術分野】
【０００１】
本発明は、床面や壁面を清掃するための清掃用具に関し、更に詳細には、交換可能な清掃用のヘッド及び払拭体と、ハンドルを有する清掃用具に関する。
【背景技術】
【０００２】
従来から、家庭や職場の清掃用具として、箒状の長柄ハンドル型やハンディタイプのものが広く利用されている。これらの清掃用具は一般に、床面等に直接触れる払拭体と、払拭体を装着する清掃用のヘッド、及びヘッドを取着するハンドルから構成される。特に、ヘッドをハンドルから、或いは払拭体をヘッドから容易に取り外して交換することのできるタイプの清掃用具がよく利用されている。
【０００３】
図１３は、特開２０１５−０９７７９３号公報（特許文献１）に開示された、Ｔ字形回動ヘッドを有するフロア用の清掃用具を示す。
長柄ハンドル１０２に連結されたヘッド１２１は、回動軸受１０９、回動軸穴１１９、ロックボタン１１８、左右一対の回動軸体１１０、１１１と該回動軸体にそれぞれ外嵌された中空体１１２、１１３を有する。袋部１２３を有する払拭体１０１はヘッド１２１に保持される。保持状態では、左右一対の該回動軸体は該袋部の中で水平に広がり、該ヘッドがＴ字形の形状となって該払拭体を保持する。ロックボタン１１８を押圧すると、該ヘッドは解除状態となり、左右一対の該回動軸体は重力で垂れ下がり、該払拭体が該ヘッドから離脱落下する。
【０００４】
該清掃用具は、払拭体をヘッドにワンタッチで着脱自在に装着できる点に特徴がある。しかし、該着脱機構は安価には製造できず、着脱機構を有する硬質のヘッドの重量が大きいため軽量化が困難であり、シニア層が家庭内等で負担なく使用可能な掃除具ではない。
更に、重量の大きな硬質のヘッドを支える強度を維持するため、掃除具全体の重量が大きくなっており、床等に該掃除具を落としたり、壁面に衝突させたりすると、手が衝撃を受けたり、床や壁等が傷つくおそれがある。
【０００５】
又、該清掃用具を含む従来型のフロア型清掃用具は一般に、ヘッドの上端部をハンドルに差し込むことでヘッドがハンドルに固定され、ヘッドのボタンを押すとヘッドとハンドルが分離できる着脱機構を有するから、レンタル用途において、顧客の要望にあった様々な形状のヘッドと払拭体、及び共通のハンドルを顧客に届けることができる。しかし、上記のように硬質のヘッドの重量が大きくてかさ張るため配送に不便であり、配送時のヘッドへのダメージを避けるためにクッション材で梱包する等の破損防止処置も必要となる。又、着脱機構にも一定の強度が必要であり、掃除具全体の重量が大きくなり、製造コストもかさむ難点があった。
【０００６】
図１４は、特開２０１０−１５４８８６号公報（特許文献２）に開示された、汚れた払拭体に触れることなく、前記払拭体を簡単に脱離させることができる払拭体分離機構を備えたハンディタイプの清掃用具を示す。
該払拭体分離機構は、挿入体２２０を払拭体２１０の挿入入口２１４から袋状部に挿入して、挿入体係止ファスナ２２４と払拭体係止ファスナ２１６を係合して形成される清掃用具２０１において、挿入体係止ファスナ２２４とグリップ部２４０の間に分離部２３０を配置し、分離部２３０ は分離環体２３１とこれに一体連接される切断体から構成され、分離環体２３１を移動させて該切断体により、前記係止ファスナ間の係合を切断して、払拭体２１０を触らずに払拭体２１０を清掃用具把持部２５０から分離する払拭体分離機構である。
【０００７】
該清掃用具は、汚れた払拭体に触らずに払拭体を簡単に脱離させる目的は達成している。しかし、部品点数が多いため、安価に製造することは難しい。又、該分離部の構造上、ヘッド（挿入体２２０）がハンドル（グリップ部２４０）と一体化した構造を有するため、使用者の要望に合わせて様々な形状のヘッドと払拭体を選択して用いることができない難点を有する。
【０００８】
図１５は、特開平１０−２９０７６９号公報（特許文献３）に開示された、モップヘッドを伸縮させることにより、モップヘッドの作業形状をハンディタイプ或るいはフロア用に変更可能な清掃用具を示す。
（１５Ａ）は短縮状態での該モップヘッド３０４Ｆの平面図であり、その断面図が（１５Ｂ）である。該モップヘッド３０４Ｆは、ゴムや合成樹脂等の伸縮性及び気密性を有する弾性素材により中空状に形成され、その上方に硬質の基板３３０を介して柄３０５が取り付けられ、柄３０５又は基板３３０に付設されたポンプ手段３３１により通孔３３２を通して空気が給排される。
【０００９】
該モップヘッドは、空気を圧入しない自然状態ではハンディタイプ又は小型のフロア用モップとして使用できる。その際、不織布によりシート状又は袋状に形成した拭布が、止着手段３３３により基板３３０の上面に係止される。
【００１０】
該モップヘッドは、空気を圧入すると長手方向に伸長し、大型のフロア用モップとして使用できる。（１５Ｃ）は伸長状態での該モップヘッド３０４Ｆの平面図であり、その断面図が（１５Ｄ）である。不織布によりシート状に形成した拭布が、止着手段３３３により基板３３０の上面に係止される。
【００１１】
該モップヘッドは気密性と伸縮性を有する弾性素材から構成されるので、弾性限界を超えない限り、空気を圧入すればするほどモップヘッドが伸長する。圧入する空気の量或いは内部の空気の圧力を調節することでモップヘッドの形状が変わるため、一なる清掃用具にハンディタイプとフロア用の清掃用具の役割を兼ねさせることを狙っている。
【００１２】
しかし、モップヘッドが特定の形状まで伸長するように空気の圧入量を調節することは容易ではないから、硬質の補強板等でモップヘッドの伸長方向が長手方向のみとなるように規制し、該拭布の止着手段３３３を硬質の基板３３０上に設け、該拭布をモップヘッドの下面から上面にかけて巻きつけるようにして止着して用いる必要がある。そのため、モップヘッドの全面を拭布で覆うことができず、露出した凸部が床等を傷つける可能性があり、又、軽量化の要請に応えることが難しい。
【先行技術文献】
【特許文献】
【００１３】
【特許文献１】特開２０１５−０９７７９３号公報
【特許文献２】特開２０１０−１５４８８６号公報
【特許文献３】特開平１０−２９０７６９号公報
【発明の概要】
【発明が解決しようとする課題】
【００１４】
特許文献１に開示された清掃用具は、払拭体及びヘッドを着脱自在に取着できるフロア用の清掃用具であるが、安価には製造できず、硬質のヘッド及び清掃用具全体の重量が大きく、シニア層が家庭内或いは職場で負担感なく使用できるものではない。又、使用者への配送時に、ヘッドがかさ張ることとヘッドの破損防止処置が必要となることが難点である。
特許文献２に開示された清掃用具は、汚れた払拭体に指先を触れることなく払拭体を取り外すことができるハンディタイプの清掃用具であるが、安価には製造できず、ヘッドとハンドルが一体化した構造を有するため、使用者の要望に合わせて様々な形状のヘッドと払拭体を選択して用いることができない。
特許文献３に開示された清掃用具は、空気の注入量を変えることによりヘッドの形状を変化させ、一なる清掃用具にハンディタイプとフロア用の清掃用具の役割を兼ねさせることを狙うものである。しかし、拭布をヘッドに巻きつける方式のため、モップヘッドの全面を拭布で覆うことができず、露出した凸部が床等を傷つける可能性があり、又、軽量化の要請に応えることが難しい。
本発明の目的は、ヘッドと払拭体とハンドルを有する清掃用具であって、該ヘッドが単純な構造の袋体から構成され、該ヘッドは空気の注入により膨張することで形状を保持し、該ヘッドが超軽量ゆえシニア層でも負担感なく掃除ができ、該ヘッドがハンドルと着脱自在に取着されるので使用者が交換毎に必要なヘッド形状を選択することができ、ヘッドを工場から使用者又は店舗等に配送する際、ヘッドがかさ張らず且つ破損しにくいため配送が容易で、該ヘッドの全面を払拭体で覆うことができるので床や壁等を傷つける心配がなく、該ヘッドが衝撃吸収機能を有し、ハンドルを把持する手に衝撃が加わるおそれが少なく、ソフトタッチな使用感が得られ、且つ、部品点数が少なく安価に製造可能な清掃用具を提供することである。
【課題を解決するための手段】
【００１５】
本発明は上記課題を解決するためになされたものであり、本発明の第１の形態は、挿入口を開口し内部に袋状の包摂空間を有した伸縮性の無い基布と当該基布の外周に払拭片を植成してなる払拭体と、密閉された袋体に空気を注入排気する空気バルブを取着し、前記空気バルブを介して前記袋体に空気を注入すると膨張して内部空間を形成し空気を排気すると萎む性質を有したヘッドを有し、前記ヘッドを前記払拭体に装着する際に、前記袋体を前記挿入口から前記包摂空間に内装し、前記空気バルブを前記挿入口に配置して、前記空気バルブから空気を前記袋体の内部空間に注入すると前記袋体は略緊張状態になるまで膨張し、前記基布が清掃可能形状を保持することを特徴とする空気袋型清掃用具である。
【００１６】
本発明の第２の形態は、前記挿入口が前記基布の中間部に開口され、前記基布が前記挿入口の左右に左側包摂空間を有する左側基布と右側包摂空間を有する右側基布から構成され、前記空気バルブが前記袋体の中間部に取着され、前記袋体が前記空気バルブの左右に左側内部空間を有する左側袋体と右側内部空間を有する右側袋体から構成され、前記左側袋体が前記左側包摂空間に内装され、前記右側袋体が前記右側包摂空間に内装される空気袋型清掃用具である。
【００１７】
本発明の第３の形態は、前記挿入口が前記基布の端部に開口される空気袋型清掃用具である。
【００１８】
本発明の第４の形態は、前記包摂空間が筒状包摂空間であり、前記袋体が筒状袋体であり、当該筒状袋体が前記筒状包摂空間に内装される空気袋型清掃用具である。
【００１９】
本発明の第５の形態は、前記包摂空間が板状包摂空間であり、前記袋体が板状袋体であり、当該板状袋体が前記板状包摂空間に内装される空気袋型清掃用具である。
【００２０】
本発明の第６の形態は、前記空気バルブの近傍で前記袋体の外周に袋体側係止手段を取着させ、当該袋体側係止手段を前記挿入口から露出させ、操作用のハンドルの下端部にハンドル側係止手段を取着し、前記ハンドル側係止手段を前記袋体側係止手段に対し着脱自在に連結させて前記ハンドルを組み込んだ空気袋型清掃用具である。
【００２１】
本発明の第７の形態は、前記ハンドルの前記下端部にプレートを取着し、当該プレートに前記ハンドル側係止手段を取着した空気袋型清掃用具である。
【００２２】
本発明の第８の形態は、前記ハンドルの前記下端部に前記左右の方向へ突出する押え体を設け、当該押え体により前記払拭体を外側から押さえて前記袋体の反り返りを抑止する空気袋型清掃用具である。
【００２３】
本発明の第９の形態は、前記包摂空間が有底筒状空間になるように前記基布が構成されてその開口端を前記挿入口とし、前記袋体は両端面が閉鎖された柱状袋体に形成され、当該柱状袋体の一端面には環状面を残して有底筒状穴部が形成され、前記環状面に前記空気バルブが取着される空気袋型清掃用具である。
【００２４】
本発明の第１０の形態は、前記有底筒状穴部に袋体側係止手段が取着され、
操作用のハンドルの下端部にハンドル側係止手段が取着され、前記ハンドルの前記下端部を前記有底筒状穴部に挿入して、前記ハンドル側係止手段を前記袋体側係止手段に対し着脱自在に連結させて前記ハンドルを組み込む空気袋型清掃用具である。
【００２５】
本発明の第１１の形態は、前記空気バルブと前記ハンドルの下端部とをチューブで連結し、前記ハンドルを操作することにより前記ハンドルから空気が前記袋体に注入される空気袋型清掃用具である。
【００２６】
本発明の第１２の形態は、前記ハンドルを前記チューブと連結される内ハンドルとし、当該内ハンドルに外ハンドルを外嵌し、当該外ハンドルを前記内ハンドルに対し軸方向に往復動させることにより空気を前記袋体に注入できる空気袋型清掃用具である。
【発明の効果】
【００２７】
本発明の第１の形態によれば、該清掃用具は払拭体とヘッドを有し、払拭体を装着するヘッドが空気袋（袋体）からなり、該ヘッドが空気の注入により略緊張状態になるまで膨張することで該払拭体が清掃可能形状を保持する。該ヘッドは超軽量ゆえシニア層でも負担感なく掃除ができ、袋体内部の空気がクッションとして働くから衝撃吸収性能を有し、ソフトタッチな使用感を有する清掃用具を提供することができる。
【００２８】
空気の注入により膨張する袋体は、払拭体を構成する基布の内部の袋状の包摂空間の中で膨張する。基布は伸縮性を有しない素材からなるから、包摂空間が最大限度まで膨らむときの基布の形状は決まっており、それ以上に基布が膨らむことはない。この形状が基布の最大膨張形状である。基布の形状が最大膨張形状に達していなくても、払拭体が清掃可能な形状を保っているならば、基布は清掃可能形状にある。ここで、袋体がゴム風船のような伸縮性を有する素材からなる場合には、袋体に空気を注入すると袋体は包摂空間の中で膨張し、清掃可能形状まで膨らんだ基布にほぼすべての箇所で内側から当接する略緊張状態となって膨張が止まる。
【００２９】
又、袋体が水泳用の浮き輪のように、伸縮性を有しない素材からなる場合には、袋体に空気を注入すると、袋体自身の最大膨張形状まで膨らんで略緊張状態となり、膨張が止まる。この場合には、基布の最大膨張形状により包摂空間の中での袋体の膨張が規制されるわけではないから、基布は多少の伸縮性を有する素材から構成されていてもよい。
【００３０】
袋体は空気を注入しない状態では萎んだ状態になっているから、空気注入前の袋体を払拭体内部（包摂空間）に挿入するために基布に開口する挿入口は、小さな径のもので十分である。それ故、基布の外周のほぼ全面を払拭片で覆って払拭体とすることができるから、床や壁等を傷つける心配がなく、又、衝撃吸収機能を有する清掃用具を提供することが
できる。
【００３１】
尚、 ヘッドを払拭体に装着する際には、袋体に取着された空気注入用の空気バルブは前記挿入口に配置されるから、基布に、空気バルブ用の開口部を前記挿入口とは別に設ける必要はない。それ故、基布の外周のほぼ全面を払拭片で覆って払拭体とすることができるから、床や壁等を傷つけず、又、衝撃吸収機能を有する清掃用具を提供することができる 。
【００３２】
本清掃用具のヘッドは、工場から顧客又は店舗等へ配送する際、空気を注入しない状態で運搬しても良く、或いは空気を注入した状態で運搬しても良い。
空気を注入しない状態のヘッドを配送する場合には、袋体に空気を注入しない状態では袋体は萎んでいるから、ヘッドはかさ張らず配送が容易で、又、ヘッドは非硬質なので運搬時に衝撃等によるダメージを受けにくい。
空気を注入した状態のヘッドを配送する場合には、袋体に払拭体を装着した状態のヘッドを配送することになる。袋体自身が空気袋となってクッションの役割を果たすので、運搬時に衝撃等によるダメージを受けにくい利点がある。
【００３３】
本発明の第２の形態によれば、Ｔ字形ヘッドを有するフロア用の清掃用具や一袋型の払拭体を有するハンディタイプの清掃用具など、従来からある一般的な清掃用具を、本発明の超軽量ヘッドを有する空気袋型清掃用具で置き換えることが可能となり、シニア層でも負担感なく掃除ができる清掃用具を提供することができる。
【００３４】
具体的には、挿入口が基布の中間部に開口され、前記基布が前記挿入口の左右に左側包摂空間を有する左側基布と右側包摂空間を有する右側基布から構成され、前記袋体が空気バルブの左右に左側内部空間を有する左側袋体と右側内部空間を有する右側袋体から構成されるので、本形態の清掃用具は、左右の袋体をそれぞれ左右の基布に挿入する際の挿入距離が短く、挿入や脱離が容易で取り扱いに便利である。
【００３５】
又、袋体が左側袋体と右側袋体から構成されるので、左側袋体の体積は袋体全体より小さく、外部からの衝撃や押圧等のショックに対しても袋体の形状が変化しにくく、清掃可能形状を保ちやすい。右側袋体も同様である。
【００３６】
本発明の第３の形態によれば、挿入口が基布の端部に開口されるタイプの極めて軽量な空気袋型清掃用具を提供することができる。本形態の清掃用具の袋体は通常、左右の袋体を有しない単純な構造をしており、安価に製造できる。基布についても同様である。
【００３７】
本発明の第４の形態によれば、包摂空間が筒状包摂空間であり、袋体が筒状袋体であり、該筒状袋体が該筒状包摂空間に内装される空気袋型清掃用具を提供することができる。筒状のヘッドを有するフロア用の清掃用具やハンディタイプの清掃用具等は一般に良く使用されている。本形態によれば、従来から存在するこれらの清掃用具を、本発明の超軽量ヘッドを有する空気袋型清掃用具で置き換えることが可能となる。
【００３８】
本発明の第５の形態によれば、包摂空間が板状包摂空間であり、袋体が板状袋体であり、該板状袋体が該板状包摂空間に内装される空気袋型清掃用具を提供することができる。板状のヘッドを有するフロア用の清掃用具やハンディタイプの清掃用具等は一般に良く使用されている。本形態によれば、従来から存在するこれらの清掃用具を、本発明の超軽量ヘッドを有する空気袋型清掃用具で置き換えることが可能となる。
【００３９】
本発明の第６の形態によれば、袋体にハンドルを着脱自在に取り付けた超軽量の清掃用具を提供することができる。具体的には、空気バルブの近傍で袋体の外周に袋体側係止手
段を取着し、ハンドルの下端部にハンドル側係止手段を取着し、両係止手段を互いに連結してハンドルを取り付ける。該袋体側係止手段は基布の前記挿入口から露出させるので、ハンドル取り付け用の開口部を基布に新たに設ける必要はなく、基布の大半の部分を払拭片で覆って払拭体を構成することができるから、床や壁を傷つけるおそれが少なく、衝撃吸収性能を有する清掃用具を提供できる。
【００４０】
又、本形態によれば、袋体で構成されるヘッドと、ハンドルは互いに着脱自在に連結され、更に、超軽量のヘッドは構造が簡単で安価に製造でき配送時にかさ張らないから、ヘッドの交換が容易かつ安価にできる。本清掃用具のレンタル用途においては、顧客はハンドルのみを所持し、交換毎に必要に応じて必要なヘッド形状を選択することができる。その際、払拭体をあらかじめ装着したヘッドを顧客にレンタルしてもよいので 、ヘッドは配送時に 衝撃等によるダメージを受けにくい。
【００４１】
ハンドル側係止手段及び袋体側係止手段としては、面ファスナー、ホック止め等、着脱自在に連結できる様々な係止手段が採用可能である。
【００４２】
本発明の第７の形態によれば、ハンドルの下端部にプレートを取着し、該プレートにハンドル側係止手段を取着した空気袋型清掃用具を提供することができる。ハンドルの下端部にプレートを介してハンドル側係止手段を取着することで、ハンドルとヘッドをより確実に連結し、又、脱離させることができる。又、ハンドルの下端部に回動機構や押え体等が設けられている場合には、ハンドルの下端部に直接、ハンドル側係止手段を取着することが配置上、難しいことがある。そのような場合には、ハンドルの下端部にプレートを介してハンドル側係止手段を取着することで、着脱自在なハンドルの取着と、回動機構や押さえ機能等を両立させることができる。
【００４３】
本発明の第８の形態によれば、ハンドルの下端部に左右の方向へ突出する押え体を設け、該押え体により払拭体を外側から押さえて袋体の反り返りを抑止する空気袋型清掃用具を提供することができる。袋体が左側袋体と右側袋体からなるケースにおいて袋体が左右方向に長い場合には、清掃時にヘッドを傾けて左右の払拭体の一方のみが強く床面等に触れるような清掃用具の使用を行うと、袋体の両端部の反り返りを防ぐことが難しい。内部空間の空気圧を高めると多少の反り返り防止効果は得られるが、それにも限界がある。ハンドルの下端部に押え体を設けるならば、払拭体を外側から押さえて袋体の反り返りを抑止することができる。
【００４４】
本発明の第９の形態と第１０の形態は一体のものであって、第９の形態によれば、包摂空間が有底筒状空間になるように基布が構成されてその開口端を挿入口とし、袋体は両端面が閉鎖された柱状袋体に形成され、該柱状袋体の一端面には環状面を残して有底筒状穴部が形成され、該環状面に空気バルブが取着される空気袋型清掃用具を提供することができる。又、第１０の形態によれば、有底筒状穴部に袋体側係止手段が取着され、操作用のハンドルの下端部にハンドル側係止手段が取着され、ハンドルの下端部を有底筒状穴部に挿入して、ハンドル側係止手段を袋体側係止手段に対し着脱自在に連結させてハンドルを組み込む空気袋型清掃用具を提供することができる。
【００４５】
該清掃用具は、ヘッドが柱状であって、柱体の一方の底面の側にハンドルと空気バルブを取着した清掃用具である。該有底筒状穴部にハンドルの下端部を挿入して係止し、又、該環状面に空気バルブを設けることにより、一方の底面にコンパクトにハンドルと空気バルブを取着若しくは配置し、他方の底面と側面に対応する基布の部分を全て払拭片で覆い、払拭体として用いることを可能にしているから、本実施形態によれば、床や壁を傷つけるおそれが少なく、衝撃吸収性能を有する清掃用具を提供できる。本実施形態はハンディタイプにもフロア用にも使用できる。
【００４６】
本発明の第１１の形態によれば、空気バルブとハンドルの下端部とをチューブで連結し、ハンドルを操作することによりハンドルから空気が袋体に注入される空気袋型清掃用具を提供できる。外部の空気注入用ポンプを用いなくてもハンドル自身が空気を袋体に注入する機能を有しており、空気の補給が可能である。
【００４７】
本発明の第１２の形態によれば、ハンドルを前記チューブと連結される内ハンドルとし、該内ハンドルに外ハンドルを外嵌し、該外ハンドルを該内ハンドルに対し軸方向に往復動させることにより空気を袋体に注入する空気袋型清掃用具を提供することができる。自転車の空気入れ用ポンプと同様な仕組みである。外ハンドルを内ハンドルに対して往復動させるだけで空気を袋体に注入することができるので、外部の空気注入用ポンプに頼らずに空気の補給ができる利点を有する。
【図面の簡単な説明】
【００４８】
【図１】本発明の一実施形態の分解斜視図であり、ハンドル８、ヘッド ３、払拭体２を示す。
【図２】図１のＡ−Ａ線に沿う断面図であり、図（２Ａ）は袋体６に空気を注入する前の状態、図（２Ｂ）は注入後の状態である。図（２Ｃ）と図（２Ｄ）は空気注入時の、内部空間の体積と圧力の変化の様子を示すグラフである。
【図３】袋体６が筒状であり、基布４の中間部に挿入口２１が開口する本発明の一実施形態の外観図である。
【図４】図３の実施形態の分解斜視図（４Ａ）、袋体６を挿入する前の払拭体２を示す斜視図（４Ｂ）、及び断面図（４Ｃ）である。
【図５】袋体６が板状袋体６３である本発明の一実施形態の分解斜視図（５Ａ）及び断面図（５Ｂ）である。
【図６】基布４の端部に挿入口２１が開口する、本発明の一実施形態の分解斜視図であり、図（６Ａ）は袋体６が筒状であるもの、図（６Ｂ）は袋体６が板状であるものを示す。
【図７】ハンドル８を袋体６に連結する係止機構の説明図である。
【図８】ハンドル８が空気注入用ポンプとして働く本発明の一実施形態の分解斜視図（８Ａ）及び断面図（８Ｂ）である。
【図９】袋体６が板状で、押え体８２を有する本発明の一実施形態の分解斜視図（９Ａ）及び断面図（９Ｂ）である。
【図１０】袋体６が筒状で、押え体８２を有する本発明の一実施形態の分解斜視図（１０Ａ）及び断面図（１０Ｂ）である。
【図１１】柱状袋体６５の一端面６６Ａに有底筒状穴部６７を有し、そこにハンドル８を連結する本発明の一実施形態の分解斜視図（１１Ａ）、断面図（１１Ｂ）、及び外観図（１１Ｃ）である。
【図１２】有底筒状穴部６７を有し、且つハンドル８が空気注入用ポンプとして働く本発明の一実施形態の分解斜視図（１２Ａ）及び断面図（１２Ｂ）である。
【図１３】従来のフロア型の清掃用具の分解斜視図である。
【図１４】従来のハンディタイプの清掃用具の分解斜視図である。
【図１５】ヘッドの形状を変化させることで、ハンディタイプとフロア用の清掃用具の役割を兼ねることのできる従来の清掃用具の該ヘッドの平面図及び断面図である。
【発明を実施するための形態】
【００４９】
以下に、本発明に係る清掃用具の実施形態を図面に従って詳細に説明する。
図１は本発明の一実施形態の分解斜視図であり、ハンドル８、ヘッド３、払拭体２を示す。ハンドル８はその下端部８Ａのみを示し、下端部８Ａ以外の部分は図示を省略している。本実施形態は、ハンドル８が長柄ハンドルの場合にはフロア用の空気袋型清掃用具１
として、又、ハンドル８が短い場合にはハンディタイプの空気袋型清掃用具１として用いることができる。
ヘッド３は、袋体６と、袋体６に設けられた空気バルブ３０と、袋体６の外周に設けられた袋体側係止手段６４を含む。袋体６はその内部空間７を気密に囲っている。
払拭体２は、伸縮性のない素材からなる基布４と、基布４に設けられた挿入口２１と、挿入口２１を除く基布４の外周ほぼ全面に植設された払拭片２０を含む。膨らんだ払拭体２或いは基布４が囲う空間を包摂空間５と呼ぶ。
ハンドル８は、ハンドルの下端部８Ａにハンドル側係止手段８０を有する。
【００５０】
図１は分解図であって、実際の清掃時には、ヘッド３は払拭体２の内部、すなわち包摂空間５に収まった状態で使用される。袋体６は空気注入前の萎んだ状態で、挿入口２１から払拭体２の内部へと挿入され、挿入口２１から露出した袋体側係止手段６４に、ハンドル８ の下端部８Ａに設けられたハンドル側係止手段８０を係止することにより、ハンドル８をヘッド３に連結する。
上記連結状態で、空気バルブ３０も挿入口２１から露出している。空気バルブ３０から空気を注入することにより袋体６が略緊張状態になるまで膨らみ、その結果、袋体６を内部の包摂空間５に囲っている基布４或いは払拭体２が膨らんで清掃可能形状となる。
【００５１】
尚、上記の空気の注入をハンドル８の連結より先に行ってもよい。即ち、袋体６を空気注入前の萎んだ状態で挿入口２１から払拭体２の内部へと挿入した後、まず、挿入口２１から露出した空気バルブ３０から空気を注入することにより袋体６が略緊張状態になるまで膨らみ、その結果、袋体６を内部の包摂空間５に囲っている基布４或いは払拭体２が膨らんで清掃可能形状となった後に、挿入口２１から露出した袋体側係止手段６４に、ハンドル８ の下端部８Ａに設けられたハンドル側係止手段８０を係止することにより、ハンドル８をヘッド３に連結してもよい。当該方法によれば、顧客の求めに応じて様々なタイプの払拭体２及び袋体６の中から特定のものを選択し、工場において払拭体２に袋体６を挿入し、空気を注入して清掃可能形状としたヘッド３を顧客や店舗等に配送し、配送先で共通のハンドル８に連結することができる。
【００５２】
図１のＡ−Ａ線に沿った断面図が図２である。図（２Ａ）は空気注入前で袋体６と基布４が萎んだ状態を示し、図（２Ｂ）は空気注入により袋体６と基布４が膨らんで清掃可能形状となった状態を示す。
空気バルブ３０からの空気の注入により膨張する袋体６は、払拭体２を構成する基布４の内部の袋状の包摂空間５の中で膨張する（図（２Ａ））。基布４は伸縮性を有しない素材からなるから、包摂空間５が最大限度まで膨らむときの基布４の形状は決まっており、それ以上に基布４が膨らむことはない。この形状が基布４の最大膨張形状である。基布４の形状が最大膨張形状に達していなくても、払拭体２が清掃可能な形状を保っているならば、基布４は清掃可能形状にある。  ここで、袋体６がゴム風船のような伸縮性を有する素材からなる場合には、袋体６に空気を注入すると袋体６は包摂空間５の中で膨張し、清掃可能形状まで膨らんだ基布４にほぼすべての箇所で内側から当接する略緊張状態となって膨張が止まる（図（２Ｂ））。図１及び図２の実施例では、清掃可能形状は略直方体形状である。しかし、基布４の清掃可能形状は略直方体形状に限定されるものではなく、例えば、平面図において、楕円形や角のある或いは角の丸まった三角形や四角形若しくは多角形、断面図において半長円形、長方形、円形又は楕円形であってもよい。
【００５３】
又、袋体６が水泳用の浮き輪のように、伸縮性を有しない素材からなる場合には、袋体６に空気を注入すると、袋体６ 自身の最大膨張形状まで膨らんで略緊張状態となり、膨張が止まる。この場合には、基布４の最大膨張形状により包摂空間５の中での袋体６の膨張が規制されるわけではないから、基布４は多少の伸縮性を有する素材から構成されていてもよい。
【００５４】
袋体６を構成する素材としては、袋体６が伸縮性を有する場合には例えば、天然ゴムや合成ゴム等を用いることができる。又、袋体６が伸縮性を有しない場合には例えば、塩化ビニール、ポリエチレン等を用いることができる。
基布４を構成する素材としては、基布４が伸縮性を有しない場合には例えば、綿生地や伸縮性のない織布等を用いることができる。又、基布４が多少の伸縮性を有する場合には例えば、ポリウレタン等の繊維を含む弱伸縮性の織布等を用いることができる。
【００５５】
袋体６は空気を注入しない状態では萎んだ状態になっているから、空気注入前の袋体６を払拭体内部（包摂空間５）に挿入するために基布４に開口する挿入口２１は、小さな径のもので十分である。尚、基布４が伸縮性のない素材からなる場合でも、基布４のうち、挿入口２１の縁部のみは伸縮性を有する素材で構成してもよい。挿入口２１から露出したハンドル８及び空気バルブ３０を挿入口２１の縁部が弾性縮囲することで、ヘッド３のほぼ全面を払拭体２で覆うことができるからである。
ヘッド３を払拭体２に装着する際には、袋体６に取着された空気注入用の空気バルブ３０は挿入口２１に配置されるから、基布４に、空気バルブ用の開口部を挿入口２１と別に設ける必要はない。それ故、基布４の外周のほぼ全面を払拭片２０で覆って払拭体２とすることができるから、床や壁等を傷つけず、又、衝撃吸収機能を有する空気袋型清掃用具１を提供することができる。
【００５６】
使用により汚れが付着した払拭体２を交換する際には、挿入口２１から露出した空気バルブ３０を操作して内部空間７に封入された空気を抜くと袋体６が萎み、基布４が囲う包摂空間５から挿入口２１を通して袋体６を引き抜くことができ、払拭体２と袋体６を容易に分離することができる。引き抜かれた袋体６は、袋体側係止手段６４とハンドル側係止手段８０の係合を解除してハンドル８から取り外される。本清掃用具のレンタル用途においては、払拭体２と袋体６とを顧客のもとから手間をかけずに回収し、洗浄して再利用することができる。回収時においては、袋体６から空気は抜けているので、袋体６と払拭体２はかさ張らず、運搬が容易で、運搬時の損傷の心配も少ない。
【００５７】
ここで、上記の基布４の清掃可能形状と、袋体６の略緊張状態、及び基布４若しくは袋体６の最大膨張形状についてより詳細に説明する。
図（２Ｃ）、図（２Ｄ）の状態曲線３２、３３はいずれも、基布４が囲う包摂空間５に萎んだ状態の袋体６を挿入し、空気バルブ３０から空気を注入するときに、袋体６が囲う内部空間７の体積Ｖと空気の圧力Ｐ（３０Ｂ）がどのように変化するかを示すグラフである。図（２Ｃ）は、袋体６が伸縮性を有する素材からなり、基布４が伸縮性を有しない素材からなる場合の状態曲線３２を示す。図（２Ｄ）は、袋体６が伸縮性を有しない素材からなり、袋体６が挿入された基布４が若干の伸縮性を有するか、或いは伸縮性を有しない素材からなる場合の状態曲線３３を示す。
【００５８】
図（２Ｃ）の場合には、はじめ袋体６が萎んだ状態では、内部空間７の空気の圧力Ｐは大気圧Ｐ０と等しい。やがて空気の注入に伴い、内部空間７の体積Ｖがある値（状態３２Ａの体積）を超えると、体積Ｖの増加に伴って圧力Ｐが増加するようになる。このとき、袋体６の伸縮性による弾性力が袋体６の各部に内向きの合力を与え、内外の圧力差につり合っている。圧力Ｐは、体積Ｖの１次関数とは限らないが単調増加関数である。更に空気を注入していくと、袋体６を包摂空間５に収容している基布４の膨張が限界に達し、基布４が最大膨張形状となる（状態３２Ｂ）。状態３２Ｂにおける内部空間７の体積ＶをＶｍ、圧力をＰｍとする。更に空気を注入して、体積ＶをＶｍを超えて増やそうとすると、基布４が伸縮性を有しないため、グラフに示すように圧力Ｐは急激に上昇する。
【００５９】
図（２Ｃ）の場合、内部空間７の圧力ＰがＰｍに近い場合に限り基布４は清掃可能形状
をとる。圧力Ｐが低すぎると払拭体２の形状を保持できず、圧力Ｐが高すぎると払拭体２の衝撃吸収性が低下し破損の危険が増すからである。例えば圧力ＰがＰｍの±１０％以内或いは±２０％以内の範囲内の値をとる場合に清掃が可能であり、袋体６と基布４を構成する素材や清掃の対象と目的によっては圧力ＰがＰｍの±１０％以内或いは±２０％以内の範囲外の値であっても清掃は可能である。すなわち、基布４が清掃可能形状をとる圧力Ｐの値には幅があり、圧力ＰがＰｍに近いその範囲内の値をとるとき、袋体６は略緊張状態にあると表現する。
基布４が清掃可能形状をとり、且つ圧力ＰがＰｍより小さい場合には、衝撃吸収性能に優れ、又、払拭体２が被清掃面の形状に適合して自在に変形しやすいため凹凸面や隙間の清掃に適した空気袋型清掃用具１を構成することができる。
【００６０】
図（２Ｄ）の場合には、はじめ袋体６が萎んだ状態から空気を注入してしばらくの間は、内部空間７の空気の圧力Ｐは大気圧Ｐ０と等しいままである。やがて空気の注入に伴い、内部空間７の体積Ｖがある値Ｖ１（状態３３Ａの体積）を超えると、体積Ｖの増加に伴って圧力Ｐが急激に増大するようになる。伸縮性を有しない袋体６が膨張し、最大膨張形状に達したからである。更に空気を注入していくと、袋体６の膨張が限界に達し、袋体６は破裂する（状態３３Ｂ）。状態３３Ｂにおける内部空間７の体積ＶをＶ２、圧力をＰ２とする。
【００６１】
図（２Ｄ）の場合、基布４が清掃可能形状をとるためには、内部空間７の圧力Ｐは、Ｐ０よりある程度大きく、且つＰ２よりある程度小さくなければならない。圧力Ｐが大気圧Ｐ０に近すぎると少しの衝撃でも袋体６が凹んでしまって払拭体２の形状を保持できず、圧力ＰがＰ２に近すぎると払拭体２の衝撃吸収性が低下し破損の危険が増すからである。すなわち、基布４が清掃可能形状をとる圧力Ｐの値の範囲があり、その範囲は、Ｐ０より大きなある値Ｐ３から、Ｐ２より小さなある値Ｐ４までの範囲である。それに対応して、内部空間７の体積Ｖも、Ｖ１より大きなある値Ｖ３から、Ｖ２より小さなある値Ｖ４までの範囲内の値をとる（図示せず）。ただし、図（２Ｄ）の場合には、袋体６が伸縮性を有しないため、Ｖ１とＶ２、及びＶ３とＶ４の値は大きくは異ならない。基布４が清掃可能形状をとる圧力Ｐの範囲、及び体積Ｖの範囲は、袋体６と基布４を構成する素材、清掃の対象と目的により異なる。圧力Ｐが上記範囲内の値をとるとき、袋体６は略緊張状態にあると表現する。
基布４が清掃可能形状をとり、且つ圧力Ｐが上記範囲の下限Ｐ３に近い場合には、衝撃吸収性能が良く、又、払拭体２が被清掃面の形状に適合して変形しやすいため凹凸面や隙間の清掃に適した空気袋型清掃用具１を構成することができる。
【００６２】
図３は、ヘッド３の袋体６が筒状であり、基布４の中間部に挿入口２１が開口する本発明の一実施形態の外観図である。払拭体２をヘッド３に内挿し、ハンドル８をヘッド３に連結し、袋体６に空気を注入して床９に置いた状態での外観を示す。本実施形態はほぼ左右対称である。ハンドルの下端部８Ａには、回動軸８６が設けられ、ハンドル８の回動を可能にする。又、ハンドルの下端部８Ａには軟質のプレート８１が設けられ、筒状の袋体６との連結に用いられる。払拭体２の払拭片２０は、挿入口２１を除く基布４のほぼ全面に植設されている。
【００６３】
図４は、図３の実施形態の分解斜視図（図（４Ａ））、袋体６を挿入する前の払拭体２（図（４Ｂ））、及び図３の実施形態の断面図（図（４Ｃ））である。
分解斜視図（４Ａ）は、３つの部分に分けて描いている。上から順に、ハンドルの下端部８Ａ、ヘッド３、払拭体２（膨張時の模式図）である。
【００６４】
本実施形態においては、袋体６は筒状袋体６２であり、基布４が囲う包摂空間５は筒状包摂空間５２である。挿入口２１が基布４の中間部に開口され、基布４が挿入口２１の左
右に左側包摂空間５０を有する左側基布４０と右側包摂空間５１を有する右側基布４１から構成され、袋体６が空気バルブ３０の左右に左側内部空間７０を有する左側袋体６０と右側内部空間７１を有する右側袋体６１から構成される。
挿入口２１を通して、空気注入前の萎んだ状態の左側袋体６０を左側基布４０が囲う左側包摂空間５０に、同じく萎んだ状態の右側袋体６１を右側基布４１が囲う右側包摂空間５１にそれぞれ挿入し、挿入口２１から露出した空気バルブ３０より空気を袋体６に注入して膨張させることにより、図（４Ｂ）に示す萎んだ状態であった基布４及び払拭体２が、断面図（４Ｃ）に示す清掃可能形状となる。
【００６５】
本実施形態は、ハンドル８が長柄ハンドルである場合にはフロア用の清掃用具として、ハンドル８とヘッド３の長手方向の長さが短い場合にはハンディタイプの清掃用具として用いることができる。ハンドル８は回動軸８６を１軸の回動軸８６として回動 方向を示す矢印８６Ａが示す方向に回動可能である。しかし、本願発明は、ヘッド３に対し１軸回動可能なハンドル８を有する清掃用具に限定されるものではない。ハンドル８は全方向に回動可能であってもよく、或いは、回動軸８６を有さず回動しないハンドルであってもよい。
【００６６】
本実施形態の清掃用具は、左右の袋体６０、６１をそれぞれ順に、左右の基布４０、４１に挿入する際の挿入距離が短く、挿入や脱離が容易で取り扱いに便利である。又、袋体６が左側袋体６０と右側袋体６１から構成されるので、左側袋体６０の体積は袋体６ 全体より小さく、外部からの衝撃や押圧等のショックに対しても袋体６の形状が変化しにくく、清掃可能形状を保ちやすい。右側袋体６１も同様である。本実施形態によれば、Ｔ字形ヘッドを有するフロア用の清掃用具や一袋型の払拭体を有するハンディタイプの清掃用具など、従来からある一般的な清掃用具を、本発明の超軽量ヘッド３を有する空気袋型清掃用具１で置き換えることが可能となり、シニア層でも負担感なく掃除ができる清掃用具を提供することができる。
【００６７】
図５は、袋体６が板状袋体６３である本発明の一実施形態の分解斜視図（５Ａ）及び断面図（５Ｂ）である。分解斜視図（５Ａ）は、３つの部分に分けて描いている。上から順に、ハンドルの下端部８Ａ、ヘッド３、払拭体２（袋体６を挿入して袋体６に空気を注入する前の萎んだ状態）である。
【００６８】
本実施形態によれば、包摂空間５が板状包摂空間５３であり、袋体６が板状袋体６３であり、板状袋体６３が板状包摂空間５３に内装される空気袋型清掃用具１を提供することができる。
萎んだ状態の袋体６は板状に薄くつぶれているが、挿入口２１から袋体６を基布４が囲う包摂空間５の中に挿入し、空気バルブ３０から袋体６に空気を注入すると、袋体６は膨張して直方体形状の板状袋体６３となって基布４に内装され、基布４は膨らんで直方体形状の清掃可能形状となる。
【００６９】
挿入口２１は基布４の中央部に開口するように設けるのが通常であるが、基布４の他の部分に設けてもよい。本実施形態では、基布４の清掃可能形状は平面図において角の丸まった長方形形状である。しかし、基布４の清掃可能形状は当該形状に限定されるものではなく、例えば、平面図において、楕円形や角のある或いは角の丸まった三角形や四角形若しくは多角形、断面図 において、半長円形、長方形、円形又は楕円形であってもよい。
板状のヘッドを有するフロア用の清掃用具やハンディタイプの清掃用具等は一般に広く使用されている。本実施形態によれば、従来から存在するこれらの清掃用具を、本発明の超軽量ヘッド３を有する空気袋型清掃用具１で置き換えることが可能となる。
【００７０】
図６は、基布４の中央部ではなくて端部に挿入口２１が開口する、本発明の実施形態の
分解斜視図であり、図（６Ａ）は袋体６が筒状袋体６２である実施形態、図（６Ｂ）は袋体６が板状袋体６３である実施形態を示す。
本実施形態の清掃用具の袋体６は通常、左右の袋体６０、６１を有しない単純な構造をしており、安価に製造できる。基布４についても同様である。本実施形態によれば、極めて軽量な空気袋型清掃用具１を提供することができる。
本実施形態の清掃用具は、図（６Ａ）及び図（６Ｂ）のいずれのタイプの清掃用具でも、ハンドル８が長柄ハンドルである場合には床用の清掃用具として、又、払拭体２ の長手方向のサイズやハンドル８が短い場合にはハンディタイプの清掃用具として用いることができる。
【００７１】
図７は、図４及び図（６Ｂ）に示す、袋体６が筒状袋体６２である実施形態において、ハンドル８を筒状袋体６２に連結する係止機構の一実施例の説明図である。ハンドル８の下端部８Ａには軟質のプレート８１が取着されている。プレート８１の材質を軟質とするのは、撓みやすいプレート８１を用いることで、空気注入により膨張した筒状袋体６２の表面の曲率にプレート８１の形状を適合しやすくするためである。
図（７Ａ）に示す実施例においては、筒状袋体６２に複数のフック８０Ａが突設され、プレート８１の対応する位置に複数のフック受８１Ａが刻設され、フック８０Ａ にフック受８１Ａをそれぞれ係止して、ハンドル８を筒状袋体６２に連結する。
図（７Ｂ）に示す実施例においては、筒状袋体６２に複数のフォック８０Ｂが突設され、プレート８１の対応する位置に複数のフォック受８１Ｂが刻設され、フォック８０Ｂにフォック受８１Ｂをそれぞれ係止して、ハンドル８を筒状袋体６２に連結する。
【００７２】
上記は、袋体６が筒状袋体６２である実施形態におけるハンドル８と袋体６の連結機構であるが、本機構を本願発明の他の実施形態におけるハンドル８と袋体６の連結機構として用いることもできる。
プレート８１に設けるハンドル側係止手段８０としては、フック受８１Ａ又はフォック受８１Ｂ以外にも、面ファスナー等を用いることができる。面ファスナーをプレート８１の下面に取着して用いる場合には、フック８０Ａ又はフォック８０Ｂの代わりに、対応する面ファスナーを袋体６の挿入口２１から露出する表面部分に設ける。
又、プレート８１を介さずに、ハンドル８の下端部８Ａに直接、ハンドル側係止手段８０を設けてもよい。
【００７３】
図８は、ハンドル８が空気注入用ポンプとして働く本発明の一実施形態の分解斜視図（８Ａ）及び断面図（８Ｂ）である。ハンドル８は１つ又は複数のハンドル ８３、８４からなり、中空気密に保たれている。空気バルブ３０とハンドル８の下端部８Ａとをチューブ３１で気密に連結し、ハンドル８を操作することによりハンドル８から空気が袋体６に注入される。外部の空気注入用ポンプを用いなくてもハンドル８自身が空気を袋体に注入する機能を有しており、空気の補給が可能である。
【００７４】
空気を注入するためのハンドル８の操作は、当該操作により空気がチューブ３１と空気バルブ３０を通してハンドル８から袋体６に注入される操作であれば、どのような操作でもよい。１つの実施例においては、ハンドル８は内ハンドル８３と外ハンドル８４を含み、内ハンドル８３は前記チューブ３１と連結され、内ハンドル８３に外ハンドル８４を外嵌し、往復動を示す矢印８４Ａが示すように、外ハンドル８４を内ハンドル８３に対して軸 方向に往復動させることにより、自転車用の空気注入用ポンプと同様のメカニズムで空気を袋体６に注入できる。
【００７５】
図８は、袋体６が板状袋体６３である実施形態を示しているが、袋体６の形状が板状でない本願発明の他の実施形態の場合にも同様に、ハンドル８と空気バルブ３０をチューブ３１で気密に接続することにより、ハンドル８が空気注入用ポンプとして働くように、本
空気袋型清掃用具１を構成することができる。
【００７６】
図９は、ハンドル８が空気注入用ポンプとして働く図８の実施例において更に、押え体８２を設け、払拭体４を外側から押さえて袋体６の反り返りを抑止する本発明の一実施形態の斜視図（９Ａ）及び断面図（９Ｂ）である。
袋体６が長手方向に長い場合には、清掃時に、袋体６の両端部が反り返ることがある。内部空間７の空気圧を高めると多少の反り返り防止効果は得られるが、それにも限界がある。ハンドル８の下端部８Ａに押え体８２を設けることで、払拭体２を外側から押さえて袋体６の反り返りを抑止することができる。
【００７７】
ハンドル８の下端部８Ａは、回動軸８６、フレキシブル軸８５、プレート８１を含み、回動軸８６はフレキシブル軸８５ に挿嵌され、ハンドル８は回動軸８６の周りにフレキシブル軸８５に対して回動し、フレキシブル軸８５にはプレート８１と押え体８２が取着されている。押え体８２は払拭体２を外側から押さえて、袋体６の反り返りを抑止する。押え体８２の全長は、押え体８２に沿った方向の袋体６の幅の０．８〜１．０倍であることが望ましい。
【００７８】
図１０は、基布４の中央部に挿入口２１が設けられ、袋体６が筒状袋体６２である図４の実施例において、ハンドル８に空気注入用ポンプとして働く機能を持たせ、更に、押え体８２を設けて、払拭体４を外側から押さえて袋体６の反り返りを抑止する本発明の一実施形態の斜視図（１０Ａ）及び断面図（１０Ｂ）である。
【００７９】
袋体６が左側袋体６０と右側袋体６１からなるケースにおいて袋体６が左右方向に長い場合には、清掃時にヘッド３を傾けて左右の払拭体２の一方のみが強く床面９等に触れるような空気 袋型清掃用具１の使用を行うと、袋体６の一端部が反り返ることがある。内部空間７の空気圧を高めると多少の反り返り防止効果は得られるが、それにも限界がある。ハンドル８の下端部８Ａに押え体８２を設けると、払拭体２を外側から押さえて袋体６の反り返りを抑止することができる。押え体８２の全長は、押え体８２に沿った方向の袋体６の幅の０．８〜１．０倍であることが望ましい。
【００８０】
図１１は、柱状袋体６５の一端面６６Ａに有底筒状穴部６７を有し、そこにハンドル８を連結する本発明の一実施形態の分解斜視図（１１Ａ）、断面図（１１Ｂ）、及び斜視図（１１Ｃ）である。いずれの図も、空気バルブ３０から空気を袋体６に注入することにより基布４に内挿した袋体６が膨張して柱状袋体６５となり、基布４が膨らんで清掃可能形状となった状態を模式的に示す。
本実施形態においては、包摂空間５が有底筒状空間５４になるように基布４が構成されてその開口端５５を挿入口２１とし、袋体６は両端面が閉鎖された柱状袋体６５に形成され、柱状袋体６５の一端面６６Ａには環状面６６Ｃを残して有底筒状穴部６７が形成され、環状面６６Ｃに空気バルブ３０が取着される。有底筒状穴部６７には面ファスナー等の袋体側係止手段６４が設けられ、操作用のハンドル８の下端部８Ａに、対応する面ファスナー等のハンドル側係止手段８０が設けられ、ハンドル８の下端部８Ａを有底筒状穴部６７に挿入して、ハンドル側係止手段８０を袋体側係止手段６４ に対し着脱自在に連結させてハンドル８を組み込む。
【００８１】
該清掃用具は、ヘッド３が柱状であって、柱体の一方の端面 ６６Ａの側にハンドル８と空気バルブ３０を取着した清掃用具である。有底筒状穴部６７にハンドル８の下端部８Ａを挿入して係止し、又、該環状面６６Ｃに空気バルブ３０を設けることにより、一方の端面６６Ａにコンパクトにハンドル８と空気バルブ３０を取着或いは配置することで、柱状袋体６５の他方の端面６６Ｂと側面に対応する基布４の部分をすべて払拭片２０で覆い、払拭体２として用いることを可能にしているから、使用時に床、壁等を傷つける心配を
少なくできる。
【００８２】
柱状袋体６５の断面積や高さ、及びハンドル８の長さは様々なサイズがあり得る。該清掃用具はフロア用にもハンディタイプにも使用することができる。ハンドル８が長柄ハンドルである場合には主にフロア用の清掃用具として、ハンドル８の長さやヘッド３のサイズが短い場合には主にハンディタイプの清掃用具として、使用することができる。
ハンドル８ には調節ボタン８７が設けられている。調節ボタン８７を指等で押圧している間はロックが解除され、ハンドル８の長さを調節することができる。調節ボタン８７の押圧を止めるとロック状態となり、ハンドル８の長さは固定長に保たれる。
【００８３】
図１２は、柱状のヘッド３を有し、且つハンドル８が空気注入用ポンプの機能を有する本発明の一実施形態の分解斜視図（１２Ａ）及び断面図（１２Ｂ）である。本実施形態は、図１１の実施形態と同様に、ハンドル８を連結するための有底筒状穴部６７をもつ柱状袋体６５を構成要素とするヘッド３を有する。更に、ハンドル８は１つ又は複数のハンドル ８３、８４からなり、中空気密に保たれている。柱状袋体６５の環状面６６Ｃに設けられた空気バルブ３０と、ハンドル８の下端部８Ａとをチューブ３１で気密に連結し、ハンドル８を操作することによりハンドル８から空気が柱状袋体６５に注入される。外部の空気注入用ポンプを用いなくてもハンドル８自身が空気を袋体６に注入する機能を有しており、空気の補給が可能である。
【００８４】
空気を注入するためのハンドル８の操作は、当該操作により空気がチューブ３１と空気バルブ３０を通してハンドル８から袋体６に注入される操作であれば、どのような操作でもよい。１つの実施例においては、ハンドル８は内ハンドル８３と外ハンドル８４を含み、内ハンドル８３は前記チューブ３１と連結され、内ハンドル８３に外ハンドル８４を外嵌し、往復動を示す矢印８４Ａが示す ように、外ハンドル８４を内ハンドル８３に対して軸方向に往復動させることにより、自転車の空気注入用ポンプと同様のメカニズムで空気を柱状袋体６５に注入できる。
【００８５】
本実施形態は、ハンディタイプにもフロア用の清掃用具にも使用できる。ハンドル８の全長が大きい場合には主にフロア用の掃除用具として、ハンドル８の全長が短く、ヘッド３を構成する柱状袋体６５の断面積又は高さが小さい場合には主にハンディタイプの掃除用具として用いることができる。本実施形態においては、空気バルブ３０と、ハンドル８を連結する有底筒状穴部６７がいずれも柱状袋体６５の一端面６６Ａに設けられ、互いに近接しているので、基布４に設ける挿入口２１の面積が小さくて済み、ヘッド３のほとんどの部分を払拭片２０を植設した基布４からなる払拭体２で覆うことができ、使用時に床、壁等を傷つける心配を少なくできる。
【００８６】
本実施形態においては、柱状袋体６５の柱体の底面の１つである端面６６Ａに有底筒状穴部６７を設け、環状面６６Ｃに空気バルブ３０を設け、基布４の対応する部分に挿入口２１を設けて、ハンドル８の下端部８Ａを有底筒状穴部６７に挿入係止してハンドル８とヘッド３を連結し、空気バルブ３０とハンドル８の下端部８Ａをチューブ３１で気密に連結している。
しかし、本願の空気袋型清掃用具１の発明は、柱状袋体６５の端面６６Ａに有底筒状穴部６７を設ける場合に限定されるものではない。例えば、柱状袋体６５の側面に有底筒状穴部６７を設け、基布４の対応する部分に挿入口２１を設けて、ハンドル８とヘッド３を連結することもできる。
【００８７】
一般には、任意の形状の袋体６の任意の部分に有底筒状穴部６７を設け、更にその近傍に空気バルブ３０を設け、基布４の対応する部分に挿入口２１を設けて、ハンドル８の下端部８Ａを有底筒状穴部６７に挿入係止してハンドル８とヘッド３を連結し、空気バルブ
３０とハンドル８の下端部８Ａをチューブ３１で気密に連結して、ハンドル８が空気注入ポンプの機能を有する空気袋型清掃用具１を構成することができる。
【００８８】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００８９】
本発明は、空気を注入することで清掃可能形状を保持する、超軽量の袋体からなるヘッドを有し、シニア層でも負担感なく掃除ができる清掃用具を提供することができる。本発明に係る清掃用具は、例えば、清掃用品小売業界、家庭用清掃用品レンタル業界など多くの業界に利用できるものである。
【符号の説明】
【００９０】
１      空気袋型清掃用具
２      払拭体
３      ヘッド
４      基布
５      包摂空間
６      袋体
７      内部空間
８      ハンドル
８Ａ    ハンドルの下端部
９      床
２０      払拭片
２１      挿入口
３０      空気バルブ
３０Ａ    注入空気流
３０Ｂ    空気の圧力
３１      チューブ
３２      状態曲線
３２Ａ    （内部空間の）状態
３２Ｂ    （内部空間の）状態
３３      状態曲線
３３Ａ    （内部空間の）状態
３３Ｂ    （内部空間の）状態
４０      左側基布
４１      右側基布
５０      左側包摂空間
５１      右側包摂空間
５２      筒状包摂空間
５３      板状包摂空間
５４      有底筒状空間
５５      開口端
６０      左側袋体
６１      右側袋体
６２      筒状袋体
６３      板状袋体
６４      袋体側係止手段
６５      柱状袋体
６６Ａ    端面
６６Ｂ    端面
６６Ｃ    環状面
６７      有底筒状穴部
７０      左側内部空間
７１      右側内部空間
８０      ハンドル側係止手段
８０Ａ    フック
８０Ｂ    フォック
８１Ａ    フック受
８１Ｂ    フォック受
８１      プレート
８２      押え体
８３      内ハンドル
８４      外ハンドル
８４Ａ    往復動を示す矢印
８５      フレキシブル軸
８６      回動軸
８６Ａ    回動方向を示す矢印
８７      調節ボタン
【図１】
0006731260.tif 000002
【図２】
0006731260.tif 000003
【図３】
0006731260.tif 000004
【図４】
0006731260.tif 000005
【図５】
0006731260.tif 000006
【図６】
0006731260.tif 000007
【図７】
0006731260.tif 000008
【図８】
0006731260.tif 000009
【図９】
0006731260.tif 000010
【図１０】
0006731260.tif 000011
【図１１】
0006731260.tif 000012
【図１２】
0006731260.tif 000013
【図１３】
0006731260.tif 000014
【図１４】
0006731260.tif 000015
【図１５】
0006731260.tif 000016